(57)【特許請求の範囲】
【請求項１】
着用者からの排泄物を受ける吸収性物品であって、
透液性のトップシートと、
前記トップシートよりも幅方向の幅が大きい撥液性または不透液性のバックシートと、
前記トップシートと前記バックシートとの間に配置される吸収体と、
前記トップシートの幅方向の両側に配置される一対のサイドシートと、
を備え、
前記一対のサイドシートのそれぞれにおいて、
幅方向の内側の側部である内側部が、前記トップシートの側部の上面に固定され、
幅方向の外側の側部である外側部が、前記トップシートの両側縁から幅方向の外側に延出する前記バックシートの側部の上面に固定され、
前記吸収体が、
シート状の不織布製の支持部材により粒状または繊維状の高吸収性材料が支持される吸収部と、
前記吸収部から幅方向の外側に前記支持部材が広がる一対のフラップ部と、
を備え、
前記吸収部が、前記トップシートと重なり、
前記一対のフラップ部が、前記トップシートの幅方向両側の前記側部および前記一対のサイドシートの前記内側部と重なり、
前記トップシートの幅方向両側の前記側部と、前記一対のフラップ部とが、それぞれが長手方向に直線状に延びる複数の接着剤により固定されており、
使用前において、幅方向に沿って延びる折り畳み線にて折り畳まれた状態であり、
前記折り畳み線における折り畳みが展開された状態での前記折り畳み線上において、前記一対のサイドシートの前記内側部が位置する部位における前記吸収性物品の厚さが、前記吸収部の前記吸収性材料が存在する領域における前記吸収性物品の厚さよりも薄いことを特徴とする吸収性物品。
【請求項２】
請求項１に記載の吸収性物品であって、
前記吸収性材料が、粒状または繊維状の高吸収性材料であり、
前記吸収体が、前記高吸収性材料を前記支持部材の主面に接着剤により固定したシート状の吸収シートを含むことを特徴とする吸収性物品。
【請求項３】
請求項２に記載の吸収性物品であって、
前記吸収シートが、
幅方向に配列されるとともにそれぞれに前記高吸収性材料が固定される複数の材料存在領域と、
前記複数の材料存在領域の周囲にて前記高吸収性材料が非存在である周囲領域と、
を備えることを特徴とする吸収性物品。
【請求項４】
請求項２または３に記載の吸収性物品であって、
前記吸収体が、前記吸収シートと同様の構造を有し、前記吸収シートと前記バックシートとの間に配置される他の吸収シートをさらに含むことを特徴とする吸収性物品。
【請求項５】
請求項１ないし４のいずれかに記載の吸収性物品であって、
前記一対のサイドシートがそれぞれ、スパンボンド・メルトブロー・スパンボンド不織布製であることを特徴とする吸収性物品。
【請求項６】
請求項１ないし５のいずれかに記載の吸収性物品であって、
前記一対のサイドシートがそれぞれ、１枚の不織布であることを特徴とする吸収性物品。
【請求項７】
請求項１ないし６のいずれかに記載の吸収性物品であって、
長手方向の中央において、前記一対のサイドシートの前記内側部が位置する部位における前記吸収性物品の厚さが、前記吸収部の前記吸収性材料が存在する領域における前記吸収性物品の厚さよりも薄いことを特徴とする吸収性物品。
【請求項８】
請求項１ないし７のいずれかに記載の吸収性物品であって、
前記一対のサイドシートと重なる領域において、長手方向に延びる弾性部材が非存在であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつまたは下着の内側に取り付けられて使用される軽失禁用の吸収パッド等の吸収性物品は、使用前において、幅方向に延びる折り畳み線にて折り畳まれた状態で、包装シート等により個別に包装されている。例えば、特許文献１では、生理用ナプキンの個別包装による折り皺や折り癖をなくすことを目的として、生理用ナプキンの折り畳み線上に、幅方向に長い線状の形状保持部材を配設することが提案されている。形状保持部材は、ポリプロピレン樹脂等の線状部材であり、容易に変形するとともに変形状態が維持される。
【先行技術文献】
【特許文献】
【０００３】
【特許文献１】特開２０１３−１７６４１２号公報
【発明の概要】
【発明が解決しようとする課題】
【０００４】
ところで、特許文献１のような形状保持部材を吸収性物品に設けると、吸収性物品を着用した際に形状保持部材が着用者の肌を圧迫し、吸収性物品の着用感の低下を招くおそれがある。また、形状保持部材を設けることにより、吸収性物品の部品点数が増加し、吸収性物品の製造コストが増大する。さらに、吸収性物品の製造の際に、吸収性物品の折り畳みが形状保持部材により阻害されるおそれもある。
【０００５】
本発明は、上記課題に鑑みなされたものであり、上述のような形状保持部材を設けることなく、折り畳みに起因する皺の発生を抑制し、皺を伝わって液体が漏出することを抑制することを目的としている。
【課題を解決するための手段】
【０００６】
請求項１に記載の発明は、着用者からの排泄物を受ける吸収性物品であって、透液性のトップシートと、前記トップシートよりも幅方向の幅が大きい撥液性または不透液性のバックシートと、前記トップシートと前記バックシートとの間に配置される吸収体と、前記トップシートの幅方向の両側に配置される一対のサイドシートとを備え、前記一対のサイドシートのそれぞれにおいて、幅方向の内側の側部である内側部が、前記トップシートの側部の上面に固定され、幅方向の外側の側部である外側部が、前記トップシートの両側縁から幅方向の外側に延出する前記バックシートの側部の上面に固定され、前記吸収体が、シート状の不織布製の支持部材により粒状または繊維状の高吸収性材料が支持される吸収部と、前記吸収部から幅方向の外側に前記支持部材が広がる一対のフラップ部とを備え、前記吸収部が、前記トップシートと重なり、前記一対のフラップ部が、前記トップシートの幅方向両側の前記側部および前記一対のサイドシートの前記内側部と重なり、前記トップシートの幅方向両側の前記側部と、前記一対のフラップ部とが、それぞれが長手方向に直線状に延びる複数の接着剤により固定されており、使用前において、幅方向に沿って延びる折り畳み線にて折り畳まれた状態であり、前記折り畳み線における折り畳みが展開された状態での前記折り畳み線上において、前記一対のサイドシートの前記内側部が位置する部位における前記吸収性物品の厚さが、前記吸収部の前記吸収性材料が存在する領域における前記吸収性物品の厚さよりも薄い。
【０００７】
請求項２に記載の発明は、請求項１に記載の吸収性物品であって、前記吸収性材料が、粒状または繊維状の高吸収性材料であり、前記吸収体が、前記高吸収性材料を前記支持部材の主面に接着剤により固定したシート状の吸収シートを含む。
【０００８】
請求項３に記載の発明は、請求項２に記載の吸収性物品であって、前記吸収シートが、幅方向に配列されるとともにそれぞれに前記高吸収性材料が固定される複数の材料存在領域と、前記複数の材料存在領域の周囲にて前記高吸収性材料が非存在である周囲領域とを備える。
【０００９】
請求項１に記載の発明は、着用者からの排泄物を受ける吸収性物品であって、透液性のトップシートと、前記トップシートよりも幅方向の幅が大きい撥液性または不透液性のバックシートと、前記トップシートと前記バックシートとの間に配置される吸収体と、前記トップシートの幅方向の両側に配置される一対のサイドシートとを備え、前記一対のサイドシートのそれぞれにおいて、幅方向の内側の側部である内側部が、前記トップシートの側部の上面に固定され、幅方向の外側の側部である外側部が、前記トップシートの両側縁から幅方向の外側に延出する前記バックシートの側部の上面に固定され、前記吸収体が、シート状の不織布製の支持部材により粒状または繊維状の高吸収性材料が支持される吸収部と、前記吸収部から幅方向の外側に前記支持部材が広がる一対のフラップ部とを備え、前記吸収部が、前記トップシートと重なり、前記一対のフラップ部が、前記トップシートの幅方向両側の前記側部および前記一対のサイドシートの前記内側部と重なり、使用前において、幅方向に沿って延びる折り畳み線にて折り畳まれた状態であり、前記折り畳み線における折り畳みが展開された状態での前記折り畳み線上において、前記一対のサイドシートの前記内側部が位置する部位における前記吸収性物品の厚さが、前記吸収部の前記吸収性材料が存在する領域における前記吸収性物品の厚さよりも薄い。
【００１１】
請求項５に記載の発明は、請求項１ないし４のいずれかに記載の吸収性物品であって、前記一対のサイドシートがそれぞれ、スパンボンド・メルトブロー・スパンボンド不織布製である。
【００１２】
請求項６に記載の発明は、請求項１ないし５のいずれかに記載の吸収性物品であって、前記一対のサイドシートがそれぞれ、１枚の不織布である。
【００１３】
請求項７に記載の発明は、請求項１ないし６のいずれかに記載の吸収性物品であって、長手方向の中央において、前記一対のサイドシートの前記内側部が位置する部位における前記吸収性物品の厚さが、前記吸収部の前記吸収性材料が存在する領域における前記吸収性物品の厚さよりも薄い。
【００１４】
請求項８に記載の発明は、請求項１ないし７のいずれかに記載の吸収性物品であって、前記一対のサイドシートと重なる領域において、長手方向に延びる弾性部材が非存在である。
【発明の効果】
【００１５】
本発明では、折り畳みに起因する皺の発生を抑制し、皺を伝わって液体が漏出することを抑制することができる。
【図面の簡単な説明】
【００１６】
【図１】一の実施の形態に係る吸収性物品の平面図である。
【図２】吸収性物品の断面図である。
【図３】第１吸収シートの平面図である。
【図４】吸収性物品包装体の平面図である。
【図５】吸収性物品包装体の一部を展開した図である。
【発明を実施するための形態】
【００１７】
図１は、本発明の一の実施の形態に係る吸収性物品１の平面図である。図２は、吸収性物品１を図１中のＩＩ−ＩＩの位置にて長手方向（すなわち、図１中における上下方向）に垂直な面で切断した断面を拡大して示す図である。図１および図２では、吸収性物品１の個別包装に使用される包装シート５１も併せて示す。図２では、吸収性物品１の上下方向の大きさ（すなわち、厚さ）を実際よりも大きく描いている。また、図２では、図の理解を容易にするために、実際には接触している吸収性物品１の構成の一部を、上下方向に離間させて描く。
【００１８】
吸収性物品１は、着用者からの尿等の液状の排泄物を受ける。吸収性物品１は、例えば、着用者が着用する外装物品（例えば、使い捨ておむつまたは下着）の内側に取り付けられて使用される軽失禁用の吸収パッドである。図１では、着用者に接する面（以下、「上面」という。）を手前側にして吸収性物品１を描いている。図１に示す例では、吸収性物品１の平面視における形状は、長手方向の長さが幅方向の幅よりも大きい略長円状である。以下の説明では、吸収性物品１の各部位の長手方向の長さを単に「長さ」ともいい、幅方向の幅を単に「幅」ともいう。
【００１９】
図１および図２に示すように、吸収性物品１は、透液性のトップシート２１と、撥液性または不透液性のバックシート２３と、吸収体２０と、吸液台紙２６と、一対のサイドシート２４とを備える。吸収性物品１のバックシート２３には、包装シート５１が、粘着材等により着脱可能に取り付けられている。包装シート５１の幅は、吸収性物品１の幅よりも大きい。包装シート５１の長さは、吸収性物品１の長さと略等しい。以下の説明では、吸収性物品１と包装シート５１とを併せて「吸収性物品包装体５０」と呼ぶ。
【００２０】
トップシート２１は、バックシート２３の上側（すなわち、着用者側）に配置される。一対のサイドシート２４は、トップシート２１の幅方向（すなわち、図１中における左右方向）の両側に配置される。一対のサイドシート２４も、バックシート２３の上側に配置される。吸収体２０は、トップシート２１とバックシート２３との間に配置されるシート状部材である。図１では、図の理解を容易にするために、吸収体２０の輪郭（すなわち、後述する第１吸収シート２２ａおよび第２吸収シート２２ｂの輪郭）を太い破線にて描く。
【００２１】
図２に示すように、吸液台紙２６は、トップシート２１とバックシート２３との間にて、吸収体２０の下方に配置される。換言すれば、吸液台紙２６は、吸収体２０とバックシート２３との間に配置されるシート部材である。吸液台紙２６は、例えば、ティッシュペーパーである。
【００２２】
バックシート２３の幅方向の幅は、トップシート２１の幅方向の幅よりも大きい。このため、バックシート２３の幅方向の両側の側部２３１は、トップシート２１の幅方向の両側縁から幅方向の外側に延出する。各サイドシート２４の幅は、トップシート２１から延出するバックシート２３の側部２３１の幅よりも大きい。また、トップシート２１の幅は、吸収体２０の幅よりも大きい。吸液台紙２６の幅は、吸収体２０の幅よりも大きく、トップシート２１の幅と略等しい。
【００２３】
一対のサイドシート２４は、吸収性物品１の幅方向の両側において、バックシート２３の側部２３１の上面を覆いつつ、トップシート２１およびバックシート２３に固定される。具体的には、一対のサイドシート２４のそれぞれにおいて、幅方向の内側の側部である内側部２４１が、トップシート２１の側部２１１の上面（すなわち、着用者側の面）に固定される。また、一対のサイドシート２４のそれぞれにおいて、幅方向の外側の側部である外側部２４２は、トップシート２１の両側縁から幅方向の外側に延出するバックシート２３の側部２３１の上面（すなわち、着用者側の面）に固定される。
【００２４】
サイドシート２４とトップシート２１とは、例えば、長手方向に略直線状に延びる接着剤２７１により固定される。接着剤２７１は、サイドシート２４の略全長に亘って、連続して、または、断続的に設けられる。接着剤２７１の内側縁は、例えば、サイドシート２４の内側縁におよそ一致していてもよく、サイドシート２４の内側縁から幅方向外側に離間していてもよい。接着剤２７１の内側縁とサイドシート２４の内側縁との間の幅方向の距離は、好ましくは３ｍｍ以下であり、図２に示す例では、約２ｍｍである。なお、接着剤２７１は、必ずしもサイドシート２４の略全長に亘って設けられる必要はなく、接着剤２７１の長さは、サイドシート２４の全長よりも短くてもよい。
【００２５】
サイドシート２４とバックシート２３とは、例えば、バックシート２３の上面にスパイラル塗工等により塗布された接着剤（図示省略）により固定される。サイドシート２４とバックシート２３との固定は、例えば、当該接着剤による接着に加えて（または、当該接着剤による接着に代えて）、熱圧着により実現されてもよい。吸収性物品１では、一対のサイドシート２４と平面視にて重なる領域において、長手方向に延びる弾性部材は非存在である。図１および図２に示す例では、各サイドシート２４と上下方向に重なる弾性部材は設けられない。
【００２６】
吸収性物品１の長手方向の両端部では、トップシート２１がバックシート２３の上面に固定される。トップシート２１とバックシート２３との固定は、サイドシート２４とバックシート２３との固定と同様に、例えば、バックシート２３の上面にスパイラル塗工等により塗布された接着剤により実現される。トップシート２１とバックシート２３との固定は、例えば、当該接着剤による接着に加えて（または、当該接着剤による接着に代えて）、熱圧着により実現されてもよい。
【００２７】
トップシート２１は、透液性のシート部材であり、着用者からの排泄物の水分を速やかに捕捉して吸収体２０へと移動させる。トップシート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布、エアスルー不織布、スパンボンド不織布等）が利用される。なお、トップシート２１として、セルロースやレーヨン、コットン等の親水性繊維により形成された不織布（例えば、スパンレース不織布）が利用されてもよい。
【００２８】
バックシート２３は、撥液性または不透液性のシート部材であり、バックシート２３に到達した排泄物の水分等が、吸収性物品１の外部にしみ出すことを防止する。バックシート２３としては、例えば、撥液性または不透液性の不織布やプラスチックフィルム、あるいは、これらの不織布とプラスチックフィルムとが積層された積層シートが利用される。バックシート２３に利用される不織布は、例えば、疎水性繊維にて形成されたスパンボンド不織布やメルトブロー不織布、ＳＭＳ（スパンボンド・メルトブロー・スパンボンド）不織布であり、必要に応じて撥液処理が施される。バックシート２３にプラスチックフィルムが利用される場合、吸収性物品１のムレを防止して着用者の快適性を向上するという観点からは、透湿性（通気性）を有するプラスチックフィルムが利用されることが好ましい。
【００２９】
一対のサイドシート２４はそれぞれ、例えば、撥液性または不透液性のシート部材である。サイドシート２４は、吸収性物品１の側部に到達した排泄物の水分等が、吸収性物品１の外部にしみ出すことを防止する。サイドシート２４としては、例えば、撥液性または不透液性の不織布が利用される。サイドシート２４に利用される不織布は、例えば、疎水性繊維にて形成されたスパンボンド不織布やメルトブロー不織布、ＳＭＳ不織布であり、必要に応じて撥液処理が施される。図１および図２に示す例では、一対のサイドシート２４はそれぞれ、１枚の不織布である。一対のサイドシート２４はそれぞれ、ＳＭＳ不織布製である。なお、サイドシート２４として、複数枚の不織布が積層されたシート部材が利用されてもよい。また、サイドシート２４として、透液性の不織布や不織布以外のシート部材が利用されてもよい。
【００３０】
図２に示すように、吸収体２０は、第１吸収シート２２ａと、第２吸収シート２２ｂとを備える。第１吸収シート２２ａおよび第２吸収シート２２ｂはそれぞれ、シート状の部材である。第１吸収シート２２ａおよび第２吸収シート２２ｂは、上下方向に積層される。第２吸収シート２２ｂは、第１吸収シート２２ａの下方に配置される。換言すれば、一の吸収シートである第１吸収シート２２ａは、トップシート２１とバックシート２３との間に配置され、他の吸収シートである第２吸収シート２２ｂは、第１吸収シート２２ａとバックシート２３との間に配置される。
【００３１】
第２吸収シート２２ｂは、第１吸収シート２２ａと略同様の構造を有する。また、第２吸収シート２２ｂは、第１吸収シート２２ａと略同じ大きさである。図１に示す例では、吸収体２０（すなわち、第１吸収シート２２ａおよび第２吸収シート２２ｂ）の平面視における形状は、長手方向の長さが幅方向の幅よりも大きい略矩形状である。
【００３２】
第１吸収シート２２ａは、第１上層シート２２１ａと、第１吸収性材料２２２ａと、第１下層シート２２３ａとを備える。第１下層シート２２３ａは、第１上層シート２２１ａの下方に配置され、第１上層シート２２１ａと上下方向に積層される。第１上層シート２２１ａおよび第１下層シート２２３ａは、透液性のシート部材である。第１上層シート２２１ａおよび第１下層シート２２３ａとしては、例えば、透液性の不織布（スパンレース不織布、エアスルー不織布、スパンボンド不織布等）が利用される。例えば、第１上層シート２２１ａおよび第１下層シート２２３ａはそれぞれ、スパンレース不織布およびエアスルー不織布である。あるいは、第１上層シート２２１ａおよび第１下層シート２２３ａは共に、エアスルー不織布またはスパンボンド不織布であってもよい。第１上層シート２２１ａおよび第１下層シート２２３ａの材料の組み合わせは、様々に変更されてよい。
【００３３】
第１吸収性材料２２２ａは、例えば、粒状の高吸収性材料（ＳＡＰ（Super Absorbent Polymer））、または、繊維状の高吸収性材料（ＳＡＦ（Super Absorbent Fiber））である。図２に示す例では、第１吸収性材料２２２ａはＳＡＰである。図２では、第１吸収性材料２２２ａの粒子を実際よりも大きく描く。第１吸収性材料２２２ａは、第１上層シート２２１ａと第１下層シート２２３ａとの間に配置され、第１上層シート２２１ａの主面および第１下層シート２２３ａの主面の少なくとも一方にホットメルト接着剤等（図示省略）により固定される。すなわち、第１上層シート２２１ａおよび第１下層シート２２３ａはそれぞれ、第１吸収性材料２２２ａを支持するシート状の支持部材である。
【００３４】
第１吸収シート２２ａは、トップシート２１を透過した液体を吸収して保持する。具体的には、第１吸収シート２２ａの第１吸収性材料２２２ａが、当該液体を吸収して膨潤することにより、当該液体を第１吸収シート２２ａ内に固定する。図２に示す例では、第１吸収シート２２ａの第１上層シート２２１ａと第１下層シート２２３ａとの間に、嵩高な吸収性材料（例えば、パルプ繊維）は実質的に存在しない。
【００３５】
第２吸収シート２２ｂは、第２上層シート２２１ｂと、第２吸収性材料２２２ｂと、第２下層シート２２３ｂとを備える。第２下層シート２２３ｂは、第２上層シート２２１ｂの下方に配置され、第２上層シート２２１ｂと上下方向に積層される。第２上層シート２２１ｂおよび第２下層シート２２３ｂは、透液性のシート部材である。第２上層シート２２１ｂおよび第２下層シート２２３ｂとしては、例えば、透液性の不織布（スパンレース不織布、エアスルー不織布、スパンボンド不織布等）が利用される。例えば、第２上層シート２２１ｂおよび第２下層シート２２３ｂはそれぞれ、スパンレース不織布およびエアスルー不織布である。あるいは、第２上層シート２２１ｂおよび第２下層シート２２３ｂは共に、エアスルー不織布またはスパンボンド不織布であってもよい。第２上層シート２２１ｂおよび第２下層シート２２３ｂの材料の組み合わせは、様々に変更されてよい。
【００３６】
第２吸収性材料２２２ｂは、例えば、ＳＡＰまたはＳＡＦである。図２に示す例では、第２吸収性材料２２２ｂは、第１吸収性材料２２２ａと同様にＳＡＰである。図２では、第２吸収性材料２２２ｂの粒子を実際よりも大きく描く。第２吸収性材料２２２ｂは、第２上層シート２２１ｂと第２下層シート２２３ｂとの間に配置され、第２上層シート２２１ｂの主面および第２下層シート２２３ｂの主面の少なくとも一方にホットメルト接着剤等（図示省略）により固定される。すなわち、第２上層シート２２１ｂおよび第２下層シート２２３ｂはそれぞれ、第２吸収性材料２２２ｂを支持するシート状の支持部材である。
【００３７】
第２吸収シート２２ｂは、トップシート２１および第１吸収シート２２ａを透過した液体を吸収して保持する。具体的には、第２吸収シート２２ｂの第２吸収性材料２２２ｂが、当該液体を吸収して膨潤することにより、当該液体を第２吸収シート２２ｂ内に固定する。図２に示す例では、第２吸収シート２２ｂの第２上層シート２２１ｂと第２下層シート２２３ｂとの間に、嵩高な吸収性材料（例えば、パルプ繊維）は実質的に存在しない。
【００３８】
第２上層シート２２１ｂ、第２吸収性材料２２２ｂおよび第２下層シート２２３ｂの材料はそれぞれ、第１上層シート２２１ａ、第１吸収性材料２２２ａおよび第１下層シート２２３ａの材料と同じでもよく、異なっていてもよい。第２吸収シート２２ｂの第２上層シート２２１ｂは、第１吸収シート２２ａの第１下層シート２２３ａに固定される。第２上層シート２２１ｂと第１下層シート２２３ａとの固定は、例えば、ホットメルト接着剤による接着により行われる。この場合、当該ホットメルト接着剤は、スパイラル塗工により第２上層シート２２１ｂまたは第１下層シート２２３ａに塗布されることが好ましい。これにより、第１吸収シート２２ａから第２吸収シート２２ｂへの液体の透過が接着剤により妨げられることを抑制することができる。第２上層シート２２１ｂと第１下層シート２２３ａとの固定は、他の様々な方法により行われてもよい。
【００３９】
図３は、第１吸収シート２２ａの平面図である。第１吸収シート２２ａは、複数の材料存在領域２５３ａと、図３中において平行斜線を付す周囲領域２５０ａとを備える。複数の材料存在領域２５３ａではそれぞれ、第１上層シート２２１ａと第１下層シート２２３ａとの間に第１吸収性材料２２２ａが固定される。各材料存在領域２５３ａは、第１吸収シート２２ａの長手方向に略全長に亘って延びる略帯状（すなわち、略矩形状）の領域である。複数の材料存在領域２５３ａは、互いに離間しつつ幅方向に配列される。複数の材料存在領域２５３ａは、互いに略平行に配置される。図３に示す例では、第１吸収シート２２ａは３つの材料存在領域２５３ａを備える。
【００４０】
周囲領域２５０ａは、複数の材料存在領域２５３ａの周囲の領域である。第１吸収シート２２ａでは、周囲領域２５０ａにおいて、第１上層シート２２１ａと第１下層シート２２３ａとが互いに直接的に固定される。好ましくは、周囲領域２５０ａにおける第１上層シート２２１ａと第１下層シート２２３ａとの固定は、圧着による。より好ましくは、周囲領域２５０ａにおいて第１上層シート２２１ａと第１下層シート２２３ａとは、加熱を伴うエンボス加工による圧着により固定される。なお、周囲領域２５０ａでは、第１上層シート２２１ａと第１下層シート２２３ａとの間に、例えばホットメルト接着剤が介在していてもよい。
【００４１】
周囲領域２５０ａでは、第１上層シート２２１ａと第１下層シート２２３ａとの間に第１吸収性材料２２２ａは実質的に非存在である。換言すれば、周囲領域２５０ａでは、第１上層シート２２１ａと第１下層シート２２３ａとの間に第１吸収性材料２２２ａが全く存在しない、または、材料存在領域２５３ａと比べて第１吸収性材料２２２ａが実質的には存在しないとみなせる程度の僅かな密度にて存在する。
【００４２】
周囲領域２５０ａは、第１接合領域２５１ａと、第２接合領域２５２ａとを含む。図３に示す例では、周囲領域２５０ａは、２つの第１接合領域２５１ａと、２つの第２接合領域２５２ａとを含む。各第１接合領域２５１ａは、第１吸収シート２２ａの長手方向に略全長に亘って延びる略帯状（すなわち、略矩形状）の領域である。第１接合領域２５１ａは、幅方向にて隣接する各２つの材料存在領域２５３ａの間に配置される。すなわち、材料存在領域２５３ａおよび第１接合領域２５１ａは、幅方向において交互に配列される。以下の説明では、第１吸収シート２２ａにおいて、材料存在領域２５３ａおよび第１接合領域２５１ａがストライプ状に配置される部位全体を、「吸収部２５５ａ」と呼ぶ。図３に示す例では、第１接合領域２５１ａの幅は、材料存在領域２５３ａの幅よりも小さい。
【００４３】
２つの第２接合領域２５２ａは、吸収部２５５ａの幅方向両側の外側に配置される。各第２接合領域２５２ａは、第１吸収シート２２ａの長手方向に略全長に亘って延びる略帯状（すなわち、略矩形状）の領域である。２つの第２接合領域２５２ａは、第１吸収シート２２ａの幅方向両側の側部である。以下の説明では、第２接合領域２５２ａを「フラップ部２５２ａ」とも呼ぶ。図３に示す例では、フラップ部２５２ａの幅は、吸収部２５５ａの幅よりも小さく、材料存在領域２５３ａの幅よりも小さい。
【００４４】
第１吸収シート２２ａは、吸収部２５５ａと、一対のフラップ部２５２ａとを備える。吸収部２５５ａでは、第１吸収性材料２２２ａが、支持部材である第１上層シート２２１ａおよび第１下層シート２２３ａにより支持される。一対のフラップ部２５２ａは、吸収部２５５ａから幅方向両側の外側に当該支持部材（すなわち、第１上層シート２２１ａおよび第１下層シート２２３ａ）が広がる部位である。
【００４５】
上述のように、第２吸収シート２２ｂの構造および大きさは、第１吸収シート２２ａと略同様である。具体的には、第２吸収シート２２ｂは、図２に示すように、上述の吸収部２５５ａおよび一対のフラップ部２５２ａと同様の吸収部２５５ｂおよび一対のフラップ部２５２ｂを備える。第２吸収シート２２ｂの吸収部２５５ｂでは、第２吸収性材料２２２ａが、支持部材である第２上層シート２２１ｂおよび第２下層シート２２３ｂにより支持される。一対のフラップ部２５２ｂは、吸収部２５５ｂから幅方向両側の外側に当該支持部材（すなわち、第２上層シート２２１ｂおよび第２下層シート２２３ｂ）が広がる部位である。
【００４６】
第２吸収シート２２ｂの吸収部２５５ｂの長さおよび幅はそれぞれ、第１吸収シート２２ａの吸収部２５５ａの長さおよび幅と略同じである。第２吸収シート２２ｂの一対のフラップ部２５２ｂの長さおよび幅もそれぞれ、第１吸収シート２２ａの一対のフラップ部２５２ａの長さおよび幅と略同じである。第１吸収シート２２ａの吸収部２５５ａと第２吸収シート２２ｂの吸収部２５５ｂとは上下方向に重なる。第１吸収シート２２ａの一対のフラップ部２５２ａと第２吸収シート２２ｂの一対のフラップ部２５２ｂとも上下方向に重なる。
【００４７】
以下の説明では、第１吸収シート２２ａの吸収部２５５ａと第２吸収シート２２ｂの吸収部２５５ｂとをまとめて「吸収部２５５」と呼ぶ。また、第１吸収シート２２ａのフラップ部２５２ａと第２吸収シート２２ｂのフラップ部２５２ｂとをまとめて「フラップ部２５２」と呼ぶ。さらに、第１吸収性材料２２２ａおよび第２吸収性材料２２２ａをまとめて「吸収性材料２２２」と呼び、第１上層シート２２１ａ、第１下層シート２２３ａ、第２上層シート２２１ｂおよび第２下層シート２２３ｂをまとめて、吸収性材料２２２を支持する「支持部材２２４」と呼ぶ。
【００４８】
図２に示すように、吸収体２０の吸収部２５５全体は、トップシート２１と上下方向に重なる。吸収部２５５は、その全体に亘って一対のサイドシート２４の内側縁よりも内側に位置するため、一対のサイドシート２４とは上下方向に重ならない。吸収体２０の一対のフラップ部２５２は、トップシート２１の幅方向両側の側部２１１、および、一対のサイドシート２４の内側部２４１と上下方向に重なる。
【００４９】
トップシート２１の幅方向両側の側部２１１と、吸収体２０の一対のフラップ部２５２とはそれぞれ、複数の接着剤２７２により固定される。各フラップ部２５２上において、複数の接着剤２７２はそれぞれ、長手方向に略直線状に延びる。複数の接着剤２７２は、幅方向に配列される。図２に示す例では、各フラップ部２５２とトップシート２１の側部２１１とは、２つの接着剤２７２により接合される。各接着剤２７２は、例えば、コータ塗工により塗布される。これにより、幅方向に隣接する２つの接着剤２７２の間隔を所望の間隔としつつ、接着剤２７２を容易に塗布することができる。各接着剤２７２は、例えば、長手方向に沿って延びる略帯状であってもよい。また、各フラップ部２５２上には１つの接着剤２７２のみが設けられてもよい。トップシート２１の幅方向両側の側部２１１は、接着剤２７３により吸液台紙２６の側部とも接合される。接着剤２７３も、接着剤２７２と同様に、長手方向に略直線状または略帯状に延びる。
【００５０】
図４は、使用前における吸収性物品包装体５０を示す平面図である。図５は、吸収性物品包装体５０の一部を展開した状態を示す図である。図４に示すように、使用前における吸収性物品包装体５０では、包装シート５１および吸収性物品１が、幅方向に沿ってそれぞれ延びる第１折り畳み線６１および第２折り畳み線６２にて、吸収性物品１のトップシート２１が対向する向きに折り畳まれている。図５は、吸収性物品包装体５０の第１折り畳み線６１にて折り畳まれた部位を展開した（すなわち、長手方向に拡げた）状態を示す。図５では、第１折り畳み線６１の位置を二点鎖線にて示す。
【００５１】
図４に示す例では、第１折り畳み線６１および第２折り畳み線６２はそれぞれ、幅方向に略平行な直線である。第１折り畳み線６１は、吸収性物品１の長手方向の中央よりも長手方向の一方側にずれた位置に設けられ、第２折り畳み線６２は、吸収性物品１の当該中央よりも長手方向の他方側にずれた位置に設けられる。使用前の吸収性物品包装体５０では、第２折り畳み線６２にて折り畳まれた部位６４上に、第１折り畳み線６１にて折り畳まれた部位６３が重ねられた状態で、両部位６３，６４が粘着テープ６５により固定されている。また、吸収性物品包装体５０の幅方向両側において、包装シート５１の側縁部が、例えば熱圧着により封止されている。
【００５２】
吸収性物品包装体５０が使用される際には、粘着テープ６５が剥がされ、第１折り畳み線６１および第２折り畳み線６２における折り畳みが展開される。このとき、吸収性物品包装体５０の両側縁部における包装シート５１の封止も解除される。そして、包装シート５１が吸収性物品１から剥がされて除去され、吸収性物品１が、バックシート２３上の上記粘着材等により、使い捨ておむつまたは下着等の外装物品に取り付けられる。
【００５３】
第１折り畳み線６１は、図１中のＩＩ−ＩＩの位置に位置する。すなわち、図２に示す吸収性物品１の断面は、第１折り畳み線６１における折り畳みが展開された状態での第１折り畳み線６１上の断面である。図２に示す断面では、一対のサイドシート２４の内側部２４１が位置する部位における吸収性物品１の厚さが、吸収部２５５の吸収性材料（すなわち、第１吸収性材料２２２ａおよび第２吸収性材料２２２ａ）が存在する領域における吸収性物品１の厚さよりも薄い。
【００５４】
吸収性物品１では、第２折り畳み線６２における折り畳みが展開された状態での第２折り畳み線６２上の断面も、図２に示す第１折り畳み線６１上の断面と略同様である。また、吸収性物品１では、長手方向の中央における断面も、図２に示す第１折り畳み線６１上の断面と略同様である。第２折り畳み線６２上の断面、および、吸収性物品１の長手方向中央の断面においても、一対のサイドシート２４の内側部２４１が位置する部位における吸収性物品１の厚さが、吸収部２５５の吸収性材料が存在する領域における吸収性物品１の厚さよりも薄い。
【００５５】
以上に説明したように、吸収性物品１は、透液性のトップシート２１と、撥液性または不透液性のバックシート２３と、吸収体２０と、一対のサイドシート２４とを備える。バックシート２３は、トップシート２１よりも幅方向の幅が大きい。吸収体２０は、トップシート２１とバックシート２３との間に配置される。一対のサイドシート２４は、トップシート２１の幅方向の両側に配置される。吸収性物品１では、一対のサイドシート２４のそれぞれにおいて、内側部２４１がトップシート２１の側部２１１の上面に固定され、外側部２４２が、トップシート２１の両側縁から幅方向の外側に延出するバックシート２３の側部２３１の上面に固定される。
【００５６】
吸収体２０は、シート状の支持部材２２４により吸収性材料２２２が支持される吸収部２５５と、吸収部２５５から幅方向の外側に当該支持部材が広がる一対のフラップ部２５２とを備える。吸収部２５５は、トップシート２１と重なる。一対のフラップ部２５２は、トップシート２１の幅方向両側の側部２１１および一対のサイドシート２４の内側部２４１と重なる。
【００５７】
吸収性物品１は、使用前において、幅方向に沿って延びる折り畳み線である第１折り畳み線６１にて折り畳まれた状態である。第１折り畳み線６１における折り畳みが展開された状態での第１折り畳み線６１上において、一対のサイドシート２４の内側部２４１が位置する部位における吸収性物品１の厚さは、吸収部２５５の吸収性材料２２２が存在する領域における吸収性物品１の厚さよりも薄い。
【００５８】
これにより、第１折り畳み線６１での吸収性物品１の折り畳みに起因するサイドシート２４における皺の発生を抑制することができる。このため、尿等の液体が、第１折り畳み線６１上および第１折り畳み線６１近傍において幅方向に延びる皺を伝わって、吸収性物品１の側部に移動することを抑制することができる。その結果、尿等の液体が吸収性物品１から側方へと漏出することを抑制することができる。また、上記皺が着用者の肌に接することを抑制することができるため、吸収性物品１の着用感を向上することもできる。
【００５９】
吸収性物品１では、上述のように、尿等の液体が、幅方向に延びる皺を伝わって側部に移動することを抑制することができる。このため、吸収性物品１の構造は、側部に尿等の側方への移動を阻害する構造（例えば、弾性部材の収縮により一対のサイドシート等が着用者に向かって起立する立体ギャザーとなる構造）を有しない吸収性物品に特に適している。換言すれば、吸収性物品１の構造は、一対のサイドシート２４と重なる領域において、長手方向に延びる弾性部材が非存在である吸収性物品に特に適している。
【００６０】
また、吸収性物品１では、使用前において、幅方向に沿って延びる折り畳み線である第２折り畳み線６２にても折り畳まれた状態である。第２折り畳み線６２における折り畳みが展開された状態での第２折り畳み線６２上において、一対のサイドシート２４の内側部２４１が位置する部位における吸収性物品１の厚さは、吸収部２５５の吸収性材料２２２が存在する領域における吸収性物品１の厚さよりも薄い。
【００６１】
これにより、上記と同様に、第２折り畳み線６２での吸収性物品１の折り畳みに起因するサイドシート２４における皺の発生を抑制することができる。このため、尿等の液体が、第２折り畳み線６２上および第２折り畳み線６２近傍において幅方向に延びる皺を伝わって、吸収性物品１の側部に移動することを抑制することができる。その結果、尿等の液体が吸収性物品１から側方へと漏出することを抑制することができる。
【００６２】
上述のように、吸収体２０は、シート状の第１吸収シート２２ａを含む。第１吸収シート２２ａでは、粒状または繊維状の高吸収性材料である第１吸収性材料２２２ａが、支持部材である第１上層シート２２１ａおよび第１下層シート２２３ａの主面に接着剤により固定される。これにより、吸収体２０を薄型化することができ、その結果、吸収性物品１を薄型化することができる。
【００６３】
さらに、第１吸収シート２２ａは、それぞれに高吸収性材料が固定される複数の材料存在領域２５３ａと、複数の材料存在領域２５３ａの周囲にて当該高吸収性材料が非存在である周囲領域２５０ａを備える。複数の材料存在領域２５３ａは、幅方向に配列される。これにより、第１吸収シート２２ａに到達した尿等の液体が、複数の材料存在領域２５３ａの間を伝わって、長手方向に速やかに拡散する。その結果、第１吸収シート２２ａにより尿等の液体を効率良く吸収することができる。
【００６４】
また、吸収体２０は、第１吸収シート２２ａとバックシート２３との間に配置される第２吸収シート２２ｂをさらに含む。これにより、吸収体２０および吸収性物品１を薄型化しつつ、吸収体２０の吸収量を増大させることができる。さらに、第２吸収シート２２ｂは、第１吸収シート２２ａと同様の構造を有する。これにより、第２吸収シート２２ｂに到達した尿等の液体を長手方向に速やかに拡散させることができ、その結果、第２吸収シート２２ｂにより尿等の液体を効率良く吸収することができる。
【００６５】
吸収性物品１では、トップシート２１の幅方向両側の側部２１１と、一対のフラップ部２５２とが、それぞれが長手方向に直線状に延びる複数の接着剤２７２により固定されている。このため、トップシート２１の側部２１１と一対のフラップ部２５２とが重なる部位における吸収性物品１の曲げ剛性を増大させることができる。これにより、第１折り畳み線６１での吸収性物品１の折り畳みに起因するサイドシート２４における皺の発生をさらに抑制することができる。また、第２折り畳み線６２での吸収性物品１の折り畳みに起因するサイドシート２４における皺の発生もさらに抑制することができる。その結果、尿等の液体が吸収性物品１から側方へと漏出することを、より一層抑制することができる。
【００６６】
吸収性物品１では、各フラップ部２５２上において、複数の接着剤２７２の間に間隙（すなわち、接着剤２７２が塗布されない領域）が設けられることにより、吸収性物品１の通気性を向上することができる。また、各フラップ部２５２上に接着剤２７２が設けられることにより、吸収体２０に到達した尿等の液体が、接着剤２７２よりも幅方向の外側に移動することを抑制することができる。さらに、接着剤２７１および接着剤２７２により、サイドシート２４の内側部２４１およびトップシート２１の側部２１１が吸収体２０に固定されることにより、サイドシート２４およびトップシート２１が吸収体２０から上方に浮き上がることを抑制することができる。
【００６７】
上述のように、一対のサイドシート２４はそれぞれ、１枚の不織布である。これにより、サイドシート２４を薄くすることができる。その結果、サイドシート２４における皺の発生をさらに抑制することができ、尿等の液体が吸収性物品１から側方へと漏出することを、より一層抑制することができる。
【００６８】
また、一対のサイドシート２４はそれぞれ、ＳＭＳ（スパンボンド・メルトブロー・スパンボンド）不織布製である。このため、所望の目付のサイドシート２４を薄くすることができる。その結果、サイドシート２４における皺の発生をさらに抑制することができ、尿等の液体が吸収性物品１から側方へと漏出することを、より一層抑制することができる。
【００６９】
吸収性物品１では、長手方向の中央において、一対のサイドシート２４の内側部２４１が位置する部位における吸収性物品１の厚さは、吸収部２５５の吸収性材料２２２が存在する領域における吸収性物品１の厚さよりも薄い。このため、吸収性物品１の長手方向中央部において、幅方向中央部が側部よりも上方に凸となる。これにより、吸収性物品１の長手方向中央部を、着用者の肌に容易に沿わせることができる。その結果、吸収性物品１の着用者に対する密着度を高くすることができる。
【００７０】
上述のように、吸収性物品１では、第１折り畳み線６１上、長手方向中央および第２折り畳み線６２上において、一対のサイドシート２４の内側部２４１が位置する部位における吸収性物品１の厚さが、吸収部２５５の吸収性材料２２２が存在する領域における吸収性物品１の厚さよりも薄い。このように、長手方向の比較的広い範囲に亘って吸収性物品１の側部が薄型化されることにより、吸収性物品包装体５０において、吸収性物品１の側縁から幅方向外側に延出する包装シート５１の側部の幅（すなわち、包装シート５１の側縁部における封止のために必要な幅）を小さくすることができる。その結果、吸収性物品包装体５０を小型化することができる。
【００７１】
上述の吸収性物品１では、様々な変更が可能である。
【００７２】
例えば、第１吸収シート２２ａでは、必ずしも、幅方向に配列される複数の材料存在領域２５３ａが設けられる必要はなく、第１吸収性材料２２２ａの配置は様々に変更されてよい。第２吸収シート２２ｂにおいても同様である。
【００７３】
本発明に関連する技術では、第１吸収シート２２ａの第１吸収性材料２２２ａは、必ずしも高吸収性材料である必要はなく、パルプ等の嵩高な繊維の集合体であってもよい。あるいは、第１吸収性材料２２２ａは、パルプ等の繊維の集合体、および、ＳＡＰ等の高吸収性材料の双方を含んでいてもよい。第２吸収シート２２ｂの第２吸収性材料２２２ａにおいても同様である。
【００７４】
また、第１吸収シート２２ａでは、第１上層シート２２１ａおよび第１下層シート２２３ａのうち一方のシートが省略され、他方のシート（例えば、第１下層シート２２３ａ）の主面に第１吸収性材料２２２ａが接着剤により固定されてもよい。この場合、当該他方のシートが、第１吸収性材料２２２ａを支持する支持部材である。第２吸収シート２２ｂにおいても同様である。
【００７５】
吸収体２０では、第１吸収シート２２ａと第２吸収シート２２ｂとは、必ずしも同じ構造を有する必要はなく、大きさも異なっていてもよい。
【００７６】
吸収体２０は、第１吸収シート２２ａおよび第２吸収シート２２ｂのうち一方の吸収シートのみを含んでいてもよい。例えば、吸収体２０から第２吸収シート２２ｂが省略される場合、第１吸収シート２２ａの吸収部２５５ａおよび一対のフラップ部２５２ａが、吸収体２０の吸収部２５５および一対のフラップ部２５２である。また、吸収体２０から第１吸収シート２２ａが省略される場合、第２吸収シート２２ｂの吸収部２５５ｂおよび一対のフラップ部２５２ｂが、吸収体２０の吸収部２５５および一対のフラップ部２５２である。
【００７７】
吸収性物品包装体５０は、使用前の状態において、必ずしも第１折り畳み線６１および第２折り畳み線６２にて折り畳まれる必要はなく、１つの折り畳み線にて折り畳まれていてもよい。また、使用前の吸収性物品１は、必ずしも包装シート５１により包装される必要はない。
【００７８】
吸収性物品１の平面視における形状は、様々に変更されてよい。例えば、吸収性物品１の平面視における形状は、長手方向の両端部の幅が長手方向の中央部の幅よりも大きい略砂時計状であってもよい。
【００７９】
吸収性物品１の構造は、軽失禁用パッド以外の様々な用途に利用される吸収性物品に採用されてよい。
【００８０】
上記実施の形態および各変形例における構成は、相互に矛盾しない限り適宜組み合わされてよい。
【符号の説明】
【００８１】
１    吸収性物品
２０    吸収体
２１    トップシート
２２ａ    第１吸収シート
２２ｂ    第２吸収シート
２３    バックシート
２４    サイドシート
６１    第１折り畳み線
６２    第２折り畳み線
２１１    （トップシートの）側部
２２１ａ    第１上層シート
２２１ｂ    第２上層シート
２２２    吸収性材料
２２２ａ    第１吸収性材料
２２２ｂ    第２吸収性材料
２２３ａ    第１下層シート
２２３ｂ    第２下層シート
２２４    支持部材
２３１    （バックシートの）側部
２４１    （サイドシートの）内側部
２４２    （サイドシートの）外側部
２５０ａ    周囲領域
２５２，２５２ａ，２５２ｂ    フラップ部
２５３ａ    材料存在領域
２５５，２５５ａ，２５５ｂ    吸収部
２７２    接着剤
【図１】
0006804208.tif 000002
【図２】
0006804208.tif 000003
【図３】
0006804208.tif 000004
【図４】
0006804208.tif 000005
【図５】
0006804208.tif 000006